(57)【特許請求の範囲】
【請求項１】
フード本体内に、吐出口を後方または上方を向けて縦向きに鉛直方向を向いて設置された遠心送風機を備えるレンジフードにおいて、
前記遠心送風機におけるファンケーシングの胴部下端部内のファン全幅が向き合う部分を外した高圧力が作用しない両端部位各々に、一個づつ若しくは複数個のオイル抜き孔を下方に向けて開孔し、
前記両端部位各々に開孔したオイル抜き孔に対向して、前記ファンケーシングの下側にオイルパックを設けたことを特徴とするレンジフード。
【請求項２】
前記オイル抜き孔が角のある平面視形状にしてあることを特徴とする請求項１記載のレンジフード。
【請求項３】
前記オイル抜き孔が三角形、四角形等の多角形状を呈していることを特徴とする請求項１または２記載のレンジフード。
【請求項４】
前記胴部の縁に切欠状のオイル抜き孔を有することを特徴とする請求項１乃至３いずれか１項記載のレンジフード。
【発明の詳細な説明】
【０００１】
【発明の属する技術分野】
本発明は、レンジフードファン内に遠心送風機が設置されたレンジフード、更に詳しくは遠心送風機のオイル抜き構造に関するものである。
【０００２】
【従来の技術】
今日、レンジフードファンは、システムキッチンの普及に伴い静音、高静圧な遠心送風機が使用されている。
ところで、調理器具から発生する廃ガスに含まれた油脂分は送風機の上流側に設けたグリスフィルターで除去されるも、グリスフィルターで１００％吸着されずに送風機に送り込まれる。高性能のグリスフィルターの場合でも４５％程度の油脂分はグリスフィルターをすり抜けて送風機に送り込まれ、長期の使用によって油が送風機（詳細にはファンケーシング）内に溜まってしまう。
その結果、調理中に万一てんぷら火災が発生した時に送風機に溜まった油に引火し、延焼を惹起する虞れがある。
前記する送風機内での油の溜りは、吸込まれてファンに接触・衝突して付着した油脂分がファンの回転で外方向に飛散してケーシングの内面に付着し、それが流下して生じるものである。
ところで、現在普及している送風機は、レンジフードファンの天板に開口してある排気口や排気ダクトと接続する関係上傾斜させずに縦向き鉛直方向を向いて設置されるため、油が一個所に局部的に集中する構造にならず、ファンケーシングの下端部全幅に亘って停滞する構造になる。そのため、従来では図６に示すようにその油を同ケーシング１１下端部の胴部１１ａ幅方向中間部分に開孔したオイル抜き孔３から排出するようにしている。
【０００３】
ファンケーシング１１下端部の胴部１１ａの中間部分は、ファン１１ｉの全幅が丁度向き合うエリア（高圧力エリア）Ｓ内に位置している。このエリアＳは運転中のファン１１ｉで遠心方向への高圧力がかかり、それによってファンケーシング１１の内面に付着した油は現実問題としてこのエリアＳを避け、両サイドの低圧力なエリアに集中することになる。
そのため、少量溜り時には排出されずにある一定以上の油が溜まった時点で排出し始めることになり、引火誘発の安全な防止策が採れないのが現実であった。また、運転中にはオイル抜き孔に風が衝突し、騒音が発生する問題もあった。更に、前記オイル抜き孔３は孔端面に表面張力がかかる平面視円形状であるため、一般には流下を促進させるべくバーリング加工を施している。しかし、胴部（ケーシング胴）を側板に溶接したり加締固定してファンケーシングを製作する前作業において胴部の構成用帯板をローラに通して湾曲形成する時にバーリング加工による突出部の存在によってそのローラ通しができなくなり、加工性も悪くなる問題もあった。
【発明が解決しようとする課題】
【０００４】
本発明は、従来事情に鑑みてなされたもので、その目的とする処は油を溜まるはしから排出し、しかも騒音発生もない遠心送風機を備えたレンジフードを提供することにある。
【０００５】
【課題を解決するための手段】
本発明者等は少量でも油抜きを確実に行うべくオイル抜き孔の位置、形状等について検討した処、最適な位置及びその形状等を知見し、本発明に至った。即ち、本発明は、フード本体内に、吐出口を後方または上方を向けて縦向きに鉛直方向を向いて設置された遠心送風機を備えるレンジフードにおいて、前記遠心送風機におけるファンケーシングの胴部下端部内のファン全幅が向き合う部分を外した高圧力が作用しない両端部位各々に、一個づつ若しくは複数個のオイル抜き孔を下方に向けて開孔し、前記両端部位各々に開孔したオイル抜き孔に対向させて、前記ファンケーシングの下側にオイルパックを設けたことを特徴とする。また、前記オイル抜き孔が角のある平面視形状にしてあることを特徴とする。また、前記オイル抜き孔が三角形、四角形等の多角形状を呈していることを特徴とする。また、前記胴部の縁に切欠状のオイル抜き孔を有することを特徴とする。
尚、ここで高圧力が作用しない両端部位とは、ファンケーシングの胴部下端部において、ファン全幅が丁度向き合うエリアを除く部分を指す。詳細にはファンが丁度向き合うエリアは運転中のファンで遠心方向への高い圧力がかかる。このエリアを挟む両端部には低圧力しか作用しない。
【０００６】
前記技術的手段によれば下記の作用を奏する。
一つには、本レンジフードファン用の遠心送風機は、油が集中する低圧力なエリアに開孔したオイル抜き孔から油抜きを行う。また、本発明のレンジフードにおける遠心送風機は、オイル抜き孔の孔端面に生じる油の表面張力を弱めて、ファンケーシング内面に残る排出不能な油をも排出可能にする。また、本発明のレンジフードにおける遠心送風機は、ファンケーシングにおける胴部と側板との溶接や加締によって固定される固定部内に進入する油をも排出する。
【０００７】
【発明の実施の形態】
次に、本発明の実施の形態を説明する。
図１乃至図４は本実施の形態レンジフードファン用の送風機を示している。符号１がその送風機、２がその送風機１を設置するフード本体（詳細にはブーツ型レンジフードファンのフード本体）である。
【０００８】
本実施の形態ではブーツ型のフード本体２を示し、送風機１としては小型なシロッコファン（後述では符号１を付して説明する）を示している。
【０００９】
このシロッコファン１は、従来から周知なようにボリュート形状の胴部１１ａに左右の側板１１ｂ、１１ｂをスポット溶接や加締固定して製作したファンケーシング１１の一方である前側の側板１１ｂに開孔１１ｃを設けると共に他方である後側の側板１１ｂにそれよりも
若干小径な開孔１１ｄを設け、前側の開孔１１ｃにベルマウス１１ｅを取付けて吸気孔１１ｆを形成し、後側の側板１１ｂにその開孔１１ｄを塞ぐようにファンモータ１１ｇを取付け、吸気孔１１ｆの孔芯と同軸上となるそのモータ軸１１ｈにファン（シロッコファン）１１ｉを着脱可能に軸着して構成されている。
【００１０】
また、このシロッコファン１は、前記胴部１１ａの上縁及び両側板１１ｂ、１１ｂの上縁に外向きに取付フランジ１１ｊ…を折曲して、それら取付フランジ１１ｊ…で吐出口１１ｋを囲繞形成し、更にファンケーシング１１の胴部１１ａ下端部において高圧力エリアＳから外れた低圧力エリアＳ１にオイル抜き孔３を開孔している。
【００１１】
この高圧力エリアＳは、図３に示すようにボリュートの中心直下である胴部１１ａ下端部分においてファン１１ｉが丁度向き合う部分であり、この部分には、ファン１１ｉの遠心方向に高風圧が作用する。
【００１２】
本発明では、この高風圧が作用しない両サイドの低風圧エリアＳ１に一個づつまたは複数個のオイル抜き孔３を開孔した。
【００１３】
前記低風圧エリアＳ１は、シロッコファン１によって若干の差異はあるが、各々１５ｍｍ程度確保され、一個の場合にはその中央部位に例えば５ｍｍ程度の大きさの三角形、四角形、星形等の多角形状をもって開孔され、複数個の場合には２乃至３個程度同形、異形の多角形状をもって隣設状に開孔してある。
このように角のない平面視形状にする理由は、孔端面に生じる表面張力を弱くするためであり、表面張力を弱くするには角が鋭角の方が好ましいものである。
【００１４】
符号４は、仕切板７上に取出し可能に設けたオイルパック、符号５は、仕切板７に形成されオイルパック４を移動不能に支承する受け部である。尚、このオイルパック４は、フード本体２の背板、側板に係脱可能に設けても良いものである。
【００１５】
この実施の形態のレンジフードファン用の送風機では、上流のグリスフィルター６で吸着除去されずに内部に送り込まれてファン１１ｉで吹き飛ばされてファンケーシング１１に付着し、高圧力エリアＳを避けて低圧力エリアＳ１へと移動する油を移動するはしから停滞させることなく排出することができる。
【００１６】
次に図５に示す実施の形態を説明すると、この実施の形態は、前記低圧力エリアＳ１に胴部１１ａの縁から前記する三角形、四角形、星形等の多角形状のオイル抜き孔３を切欠状に形成している。
このオイル抜き孔３は、複数個の場合には最外側の孔に該当する。
【００１７】
このように胴部１１ａの縁からオイル抜き孔３を切欠状に開孔した場合には、胴部１１ａと側板１１ｂとの加締部や溶接部間に進入する油をも回収することができる。
この実施の形態の場合には、胴部１１ａの縁所定範囲が溶接代や加締代として占有されることから、詳細には前記する実施の形態よりも若干大形に切欠してある。
【００１８】
【発明の効果】
本発明は以上のように構成したので、下記の利点がある。
（請求項１）ファンケーシングの胴部下端部内の高圧力が作用しない両端部位、即ち油が集中する低圧力なエリアに一個づつ若しくは複数個のオイル抜き孔を開孔したので、溜まるはしから油を排出する安全な引火誘発防止策を備えたファンケーシング用の送風機を提供できる。
しかも、運転中のファンで遠心方向への高風圧がかかるエリアを避けた位置にオイル抜き孔を設けた結果、その高風圧にそのオイル抜き孔が晒されることがなくなり、騒音を発生させない。
（請求項２、３）しかも、角のない平面視形状や三角形、四角形等の多角形状に形成されているから、オイル抜き孔の周囲にかかる油の表面張力を弱めてファンケーシング内面に残る排出不能な油をも回収する優れた排水能力を付与でき、丸孔や楕円孔等の平面視円形孔のように表面張力を弱めるべくバーリング加工を施し、その結果、胴部（ケーシング胴）を側板に溶接したり加締固定してファンケーシングを製作する前作業で胴部の構成用帯板をローラに通して湾曲形成する際に、その突出部によってローラ通しができなくなる加工性の悪さを解消でき、加工作業性の向上を図り低廉下で提供することができる。
（請求項４）その上、ファンケーシングにおける胴部に側板を溶接や加締固定した時のその固定部に進入する油をも回収でき、より優れた引火誘発防止策を備えることができる。
【図面の簡単な説明】
【図１】本実施の形態送風機の使用状態を示す側面断面図で一部切欠して示す。
【図２】送風機の正面図で一部切欠して示す。
【図３】要部の拡大断面図。
【図４】送風機の斜視図。
【図５】他の実施の形態の分解斜視図。
【図６】従来の送風機の側面断面図。
【符号の説明】
１：送風機                          ２：フード本体
１１：ファンケーシング            １１ａ：胴部
Ｓ：高圧力エリア                  Ｓ１：低圧力エリア
３：オイル抜き孔                    ６：グリスフィルター
【図１】
0004181664.tif 000002
【図２】
0004181664.tif 000003
【図３】
0004181664.tif 000004
【図４】
0004181664.tif 000005
【図５】
0004181664.tif 000006
【図６】
0004181664.tif 000007